(57)【要約】【課題】閉栓状態で踏みつける等して押圧力が栓蓋に掛かっている状態で誤って押し釦を押動操作してもインナーコアが座屈する虞れがない排水栓用レリースを提供する。【解決手段】操作部１内に上端側から挿入されるインナーワイヤ１３を該操作部１に下端側から進退可能に設けられる操作軸３１で押動可能とし、操作部１内のアウターチューブ２３内端に形成した鍔状受け部２３１と、その鍔状受け部２３１よりも排水栓側の操作部１内とに亘ってレリースワイヤ３を囲繞する圧縮弾機を介装してショックアブソーバ５を構成すると共に鍔状受け部２３１を操作部１内の中途部に設けたチューブ当て部４に当接し、操作軸３１とチューブ当て部４との間にインナーワイヤ１３を囲繞して戻し弾機６を介装し、チューブ当て部４は戻し弾機６の下端側を遊嵌合する凹状の弾機案内部１４を有する。【選択図】　図２
2004036079.tif 000002
【特許請求の範囲】
【請求項１】
操作部内に一端側から挿入されるレリースワイヤから突出するインナーワイヤを該操作部に他端側から進退可能に設けられる操作軸で押動可能とし、前記操作部内のアウターチューブ内端に形成した鍔状受け部と、その鍔状受け部よりも排水栓側の操作部内とに亘ってレリースワイヤを囲繞する圧縮弾機を介装してショックアブソーバを構成し、前記鍔状受け部を操作部内の中途部に設けたチューブ当て部に当接し、前記インナーワイヤを、前記チューブ当て部を通過させて前記操作軸で押動可能に連絡していることを特徴とする排水栓用レリース。
【請求項２】
前記鍔状受け部は、アウターチューブの開放端に形成した肉厚状鍔部におけるアウターチューブ本体側の立面にアウターチューブ本体に外嵌挿するバネ受け座板を掛止し、該バネ受け座板は、その裏面に肉厚状鍔部の前記立面に喰込み掛止する爪部を突出状に有していることを特徴とする請求項１記載の排水栓用レリース。
【請求項３】
前記操作部は、水平状の取付面に鉛直状に設けられ、操作軸とチューブ当て部との間にインナーワイヤを囲繞して戻し弾機を鉛直方向を向いて介装し、該チューブ当て部は戻し弾機の下端側をクリアランスを介して伸縮可能に案内する凹部からなる弾機案内部を有することを特徴とする請求項１または２記載の排水栓用レリース。
【請求項４】
前記操作部は長さ方向に分割化された筒状の２つの分割体からなり、該分割体は相互の端部同士の接続で組付けられ、前記チューブ当て部は、同接続で周縁部が挟持されて取付られることを特徴とする請求項３記載の排水栓用レリース。
【請求項５】
前記チューブ当て部は、前記弾機案内部周縁に挟持用鍔部を形成した構成であることを特徴とする請求項４記載の排水栓用レリース。
【発明の詳細な説明】
【０００１】
【発明の属する技術分野】
本発明は、レリースワイヤの遠隔操作で排水栓を開閉する排水栓用レリース、更に詳しくは開閉機構（スラストロック機構）を備えた排水栓用レリースに関するものである。
【０００２】
【従来技術】
従来、ショックアブソーバを有する排水栓用レリースＡには、図５に示す構造のものがその一例として存在している。
前記する先行技術は、浴槽等の上縁面（取付面）Ｂに取り付けられている収容ケース２００の下部開放部を中央に開孔２０１ａを開設した取付ナット２０１で開閉可能に被蓋し、その収容ケース２００に鉛直状に配置した操作部１の下端にレリースワイヤ３のアウターチューブ２３を取付けてインナーワイヤ１３のみを内部に挿入して進退可能な操作軸３１で押動可能とし、操作部１の上縁に突設した鍔部５１を収容ケース２００の内に当接し、その鍔部５１と取付ナット２０１とに亘ってショックアブソーバ用の圧縮弾機５を介在し、操作部１内にインナーワイヤ１３の戻し弾機６を介装した構造になっている。
【０００３】
ところで、レリースワイヤ３には、様々な状況下で負荷がかかる。
閉栓状態に踏みつける等して栓蓋に押圧力が掛かっている状態で押し釦４１を誤って押動操作してしまったり、押し釦４１を押動操作している最中に栓蓋に落下物で荷重が掛ったりする場合もその一例として挙げられる。
このような場合には、策を講じなければインナーワイヤ１３が逃げ場を失い、座屈してしまう。
このような状態下にあっては、先行技術はショックアブソーバ用の圧縮弾機５のバネ力に抗して、操作部１自体が下降して対応するため、インナーワイヤ１３の座屈を防止することができる。
【０００４】
しかしながら、ショックアブソーバ用の圧縮弾機５を介装するための大形な収容ケース２００を必須とし、設備コストが高騰してしまうし、排水栓用レリースＡをメンテナンスする際には、レリースワイヤ３両端の操作部１や排水部を分解する前段階で、取付ナット２０１と、圧縮弾機５と、排水栓用レリース（レリースワイヤの端部に操作部、排水部を有する）Ａの３パーツに分解する必要が生じ、メンテナンス時の取り扱いを煩雑なものにする。
【０００５】
【発明が解決しようとする課題】
本発明は上記従来事情に鑑みてなされたもので、その目的とする処は、閉栓状態に踏みつける等して栓蓋に押圧力が掛かっている状態で押し釦を誤って押動操作してしまったり、押し釦を押動操作している途中に栓蓋に落下物で荷重が掛ったりした場合等にアウターチューブの伸びに対する負荷を低減した上にインナーワイヤの座屈を防止し、しかも大掛かりにならず、構造も簡単な排水栓用レリースを提供することにある。
【０００６】
【課題を解決するための手段】
上記目的を解決するために講じた技術的手段は、操作部内に一端側から挿入されるレリースワイヤから突出するインナーワイヤを該操作部に他端側から進退可能に設けられる操作軸で押動可能とし、前記操作部内のアウターチューブ内端に形成した鍔状受け部と、その鍔状受け部よりも排水栓側の操作部内とに亘ってレリースワイヤを囲繞する圧縮弾機を介装してショックアブソーバを構成し、前記鍔状受け部を操作部内の中途部に設けたチューブ当て部に当接し、前記インナーワイヤを、前記チューブ当て部を通過させて前記操作軸で押動可能に連絡していることを特徴とする排水栓用レリースである（請求項１）。
【０００７】
以上の手段にあっては、閉栓状態に踏みつける等して栓蓋に押圧力が掛かっている状態で押し釦を誤って押動操作したり、押し釦を押動操作している途中に栓蓋に落下物で荷重が掛ったりして栓蓋が押し上げられずにインナーワイヤが逃げ場を失うようなケースの場合に、アウターチューブに弾性的な伸延応力が生じて、その伸延応力が圧縮弾機からなるショックアブソーバを圧縮してアウターチューブの両端部間を接近させ、それによってインナーワイヤの逃げ場を確保して同インナーワイヤの座屈変形を防止する。
そして、その操作部は一端側から操作軸を進退可能に挿入し、他端側からレリースワイヤを挿入する細径な筒体形状であれば良く、小型、コンパクトである。
【０００８】
そして、鍔状受け部は、アウターチューブの開放端に形成した肉厚状鍔部におけるアウターチューブ本体側の立面にアウターチューブ本体に外嵌挿するバネ受け座板を掛止し、該バネ受け座板は、その裏面に肉厚状鍔部の前記立面に喰込み掛止する爪部を突出状に有していると、その肉厚な鍔部の剛性と、その鍔部に喰い込む爪部付き座板の喰い込み固定による安定したバネ受け座板との剛性とが相俟ってショックアブソーバ（圧縮弾機）の一端部を安定的に支持する（請求項２）。
【０００９】
また、操作部は、水平状の取付面に鉛直状に設けられ、操作軸とチューブ当て部との間にインナーワイヤを囲繞して戻し弾機を鉛直方向を向いて介装し、該チューブ当て部は戻し弾機の下端側をクリアランスを介して伸縮可能に案内する凹部からなる弾機案内部を有する場合も有効なものである（請求項３）。
一般的に排水栓用レリースは、操作部を浴槽や洗面器等の容体の上縁面（取付面）に対して鉛直状に取り付けられ、排水部側と同様に操作部側にも戻し弾機を介装して、操作軸先端の押し釦を、開栓時（図３参照）に閉栓時（図１参照）と同等（若干低い）高さ位置に戻すようになっている。操作部内の戻し弾機は、その当り側の端部、即ち下端側が弾機案内部に伸縮可能に遊嵌合されてインナーワイヤと直交する方向に大きく移動するのを回避してインナーワイヤに干渉するのを防止される。
【００１０】
そして、操作部は長さ方向に２分割化された筒状の分割体からなり、該分割体は相互の端部同士の接続で組付けられ、前記チューブ当て部は、同接続で周縁部が挟持されて取り付けられるようにしてあると、同チューブ当て部を支持する上で好適なものである（請求項４）。
ここで、前記接続としては、捻じ込みが好適である。
【００１１】
更に、チューブ当て部は、前記弾機案内部周縁に挟持用鍔部を形成した構成であると好適なものである（請求項５）。
【００１２】
【発明の実施の形態】
次に本発明排水栓用レリースの一実施の形態を図面に基づいて説明すると、図面において、符号Ａは排水栓用レリースである。
【００１３】
この排水栓用レリースＡは、操作部１、排水部２、その操作部１と排水部２とを連結するレリースワイヤ３とを備えた周知の形態になっており、その操作部１を浴槽の上縁面（取付面）Ｂに鉛直状に取着される。
【００１４】
操作部１は、長さ方向、即ち上下方向に分割された２つの筒状分割体１１、２１を筺体としている。下記では、筒状分割体１１を上半部、筒状分割体２１を下半部と称する。
上半部１１は、上端部に浴槽等の上縁面を取付面Ｂとして掛止して取着する鍔部１１１を、また下端部に周面に雄螺子１１１ａを螺設している。
また、下半部２１は、前記雄螺子１１１ａが螺合する雌螺子２１１ａを内周面に螺設した被螺子筒２１１を一体に形成し、前記雄螺子１１１ａと該被螺子筒２１１との螺合で前記上半部１１とこの下半部２１とが分解可能に接続されるようになっている。
尚、前記上記上半部１１と下半部２１との接続はスナップフィット、その他の構造であっても良いものである。
【００１５】
符号４は、チューブ当て部であり、図２に示すように前記下半部２１の内周面に嵌合状となる凹部からなる弾機案内部１４と、その弾機案内部１４の開放縁に下半部２１と上半部１１との接続時に挟持される挟持用鍔部１４１とを合成樹脂をもって一体に形成し、弾機案内部１４の底中心にインナーワイヤ１３の通孔１４２が開孔させてある。
【００１６】
レリースワイヤ３の操作部１側の一端は、前記下半部２１の下端から内部に挿入して、インナーワイヤ１３のみを前記通孔１４２を通過させて上半部１１の上端から内部に挿入される操作軸３１の内端に連結すると共にアウターチューブ２３の内端を前記弾機案内部１４の下面に当接させてなり、そのアウターチューブ２３内端と下半部２１下端との間にレリースワイヤ３を囲繞する圧縮弾機からなるショックアブソーバ５を介在させてある。
操作軸３１には、その上端に押し釦４１が設けられている。
【００１７】
また、前記アウターチューブ２３の内端には、鍔状受け部２３１が形成してある。
前記鍔状受け部２３１は、図２に示すようにアウターチューブ２３の開放端に形成した肉厚状鍔部２３１ａにおけるアウターチューブ本体（肉厚状鍔部間のアウターチューブ）２３‘側の立面にアウターチューブ本体２３‘に外嵌挿するバネ受け座板２３１ｂを掛止して形成されている。
【００１８】
前記肉厚状鍔部２３１ａは、２ｍｍ程度の厚みをもって鍔状に周設され、バネ受け座板２３１ｂの裏面に輪状をもって突出した爪部２３１ｂ‘を前記立面に喰い込み掛止することによって、その肉厚な鍔部２３１ａ自体の剛性と、その鍔部２３１ａ自体に喰い込んで安定する爪部付き座板２３１ｂの剛性とが相俟ってショックアブソーバ（圧縮弾機）５の一端部を安定して支持することができるようになっている。
【００１９】
また、上半部１１には、一端側、即ち上端側から操作軸３１が進退可能に挿入され、上半部１１の下端側から挿入されるレリースワイヤ３のインナーワイヤ１３の内端をその操作軸３１内端と連結して操作軸３１の進退でインナーワイヤ１３を押動できるようにしてあり、その連結部と、前記凹部からなる弾機案内部１４底との間にインナーワイヤ１３を囲繞する戻し弾機６が介装されている。
この戻し弾機６は、図２に示すように下端側を凹部からなる弾機案内部１４の内周面との間にクリアランスをもって伸縮可能に遊嵌合されている。
これによって、戻し弾機６がインナーワイヤ１３と直交する方向に大きく移動するのを回避されて、戻し弾機６がインナーワイヤ１３と防止することがないようにしてある。
【００２０】
尚、レリースワイヤ３の他端側である排水部２は、周知なように、排水口１００の口芯に設置される案内筒７の下端にアウターチューブ２３の他端を固定すると共に、栓蓋８の支持軸１８を、案内筒７の上端側から進退可能に挿入し、その支持軸１８を案内筒７内に進入するインナーワイヤ１３の他端側で押動可能とし、支持軸１８と案内筒７との間にスラストロック機構（ラチェット機構）Ｓを介在し、更にその支持軸１８に閉栓方向に付勢する戻し弾機９を設けた構成にしてあり、開栓時には回転歯を戻し弾機９のバネ力に抗して下方向に押動して案内筒７内面の係止歯に係止し（図３参照）、閉栓時にはその戻し弾機９のバネ力で支持軸１８が強制的に下降して栓蓋８が排水口１００縁にフィットするようになっている（図１参照）。
【００２１】
以上のように構成されている排水栓用レリースＡは、閉栓時に排水部２側の戻し弾機９のバネ力でインナーワイヤ１３を操作部１側に押動することによって操作軸３１並びに押し釦４１を復帰位置に押動させている（図３参照）。この時、操作部１側の戻し弾機６は伸び切った状態にある（図１参照）。この状態で押し釦４１を押動操作すると、操作部１側及び排水部２側の戻し弾機６、９を圧縮してインナーワイヤ１３を下降させ他端側を上昇させ支持軸１８を上昇させて開栓する。この開栓時の押し釦４１は操作部１側の戻し弾機６のみの復元力で閉栓時よりは若干低い位置に復帰する（図３参照）。
そして、閉栓状態に踏みつける等して栓蓋８に押圧力が掛かっている状態で押し釦４１を誤って押動操作してしまったり、押し釦４１を押動操作している途中に栓蓋４１に落下物Ｍで荷重が掛ったりした場合には、図４に示すようにショックアブソーバ５を圧縮しアウターチューブ２３両端部間を接近させてインナーワイヤ１３が逃げる余裕を自ずと作り出すので、アウターチューブ２３に負担を掛けずにインナーワイヤ１３の座屈変形を防止する。
【００２２】
【発明の効果】
本発明は以上のように構成したから、閉栓状態に踏みつける等して栓蓋に押圧力が掛かっている状態で押し釦を誤って押動操作したり、押し釦を押動操作している途中に栓蓋に落下物で荷重が掛ったりして栓蓋が押し上げられずにインナーワイヤが逃げ場を失うような場合でもインナーワイヤの逃げ場を確保して同インナーワイヤの座屈変形を防止すると共にアウターチューブの伸びに対する負荷を低減し、耐久性を向上させることができる。
しかも、先行技術のようにショックアブソーバ（圧縮弾機）を介装するための操作部用の収容ケースを製作用意する必要が無く、大掛かりにならず、しかもメンテナンス時に排水栓用レリース以外に取付ナット、圧縮弾機が分解されることもなく、メンテナンスが煩雑にならないし、小型且つコンパクトである。
【００２３】
そして、ショックアブソーバとなる戻し弾機の一端側を支持する構成として、アウターチューブの開放端に形成した肉厚状鍔部におけるアウターチューブ本体側の立面にアウターチューブ本体に外嵌挿してバネ受け座板裏面の爪部を喰い込み掛止させた構成を採用しているから、構造簡単でありながら、アウターチューブに対してショックアブソーバの一端部を安定且つ確実に支持することができる。
【００２４】
その上、インナーワイヤを囲繞して操作軸との間に介在される戻し弾機の下端の受け部であるチューブ当て部として、戻し弾機の下端側の伸縮をクリアランスを介してガイドする凹部からなる弾機案内部を有する構成にしているため、戻し弾機の直交方向へのスライドが弾機案内部で防止されて、操作部内の戻し弾機がインナーワイヤに干渉することを回避し、戻し弾機がインナーワイヤに擦れて金属異音を発生させるような虞れがない。
【００２５】
しかも、操作部は長さ方向に２分割化された筒状の分割体からなり、該分割体は相互の端部同士の接続で組付けられ、前記チューブ当て部は、同接続で周縁部が挟持されてセットされるようになっており、弾機案内部を有するそのチューブ当て部の分割体への取付が簡単である。
【図面の簡単な説明】
【図１】閉栓状態を示す正面断面図で中間省略して示す。
【図２】その要部の拡大断面図。
【図３】開栓状態を示す正面断面図で中間省略して示す。
【図４】ショックアブソーバ用の圧縮弾機が圧縮された状態を示す正面断面図で中間省略して示す。
【図５】従来の排水栓用レリースの要部の拡大断面図。
【符号の説明】
Ａ：排水栓用レリース　　　　　　　　　１：操作部
３１：操作軸　　　　　　　　　　　　　３：レリースワイヤ
１３：インナーワイヤ　　　　　　　　２３：アウターチューブ
２３１：鍔状受け部　　　　　　　　　　４１：押し釦
５：ショックアブソーバ　　　　　　　４：チューブ当て部
２３１ａ：肉厚状鍔部　　　　　　　　　２３‘：アウターチューブ本体
２３１ｂ：バネ受け座板　　　　　　２３１ｂ‘：爪部
６：戻し弾機（操作部側）　　　　　１４：弾機案内部
１１、２１：分割体（上半部、下半部）　　　　２：排水部
９：戻し弾機（排水部側）　　　　１４１：挟持用鍔部
【図１】
2004036079.tif 000003
【図２】
2004036079.tif 000004
【図３】
2004036079.tif 000005
【図４】
2004036079.tif 000006
【図５】
2004036079.tif 000007